(57)【要約】【課題】  蓋体の組み合わせによって様々な閉塞形態を有した箱型形状に容易に組み立てることができると共に、専用のシール材を用いることなく、送付用のラベルの貼着のみによって、閉じられた蓋体を容易且つ確実に貼着させることのできる包装箱を提供することである。【解決手段】  底面体１２と４面の側片からなる側面体１３とで形成された収納スペースの上部を閉塞する蓋体１４が各側片の上端から折曲げ可能に延設される包装箱１１において、前記蓋体１４は、一方の対向する側片に設けられる第１及び第２の蓋片１４ａ，１４ｂと、他方の対向する側片に設けられる第３及び第４の蓋片１４ｃ，１４ｄとを備え、第１及び第２の蓋片１４ａ，１４ｂと第３及び第４の蓋片１４ｃ，１４ｄとの間には係合部２０が設けられ、この係合部２０は、第１及び第２の蓋片１４ａ，１４ｂの上に第３及び第４の蓋片１４ｃ，１４ｄを被せたときに互いに係合する。【選択図】      図１
2011006124.tif 000002
【特許請求の範囲】
【請求項１】
四角形状の底面体とこの底面体の各辺より立ち上がる４面の側片からなる側面体とで収納スペースを形成し、この収納スペースの上部を閉塞する蓋体が各側片の上端から折曲げ可能に延設される包装箱において、
前記蓋体は、一方の対向する側片に設けられる第１及び第２の蓋片と、
他方の対向する側片に設けられる第３及び第４の蓋片とを備え、
第１及び第２の蓋片と第３及び第４の蓋片との間には係合部が設けられ、この係合部は、第１及び第２の蓋片の上に第３及び第４の蓋片を被せたときに互いに係合することを特徴とする包装箱。
【請求項２】
前記第１及び第２の蓋片は、対向する先端の辺同士を突き合わせるようにして収納スペースの上部を閉塞する請求項１記載の包装箱。
【請求項３】
前記第１及び第２の蓋片は、互いに重なり合うようにして収納スペースの上部を閉塞する請求項１記載の包装箱。
【請求項４】
前記第１及び第２の蓋片は、それぞれの蓋片が設けられた側片の内面側及び底面体の内面側に沿って延びる補強片として構成される請求項１記載の包装箱。
【請求項５】
前記第１及び第２の蓋片と前記第３及び第４の蓋片は、各側片の上端から延設された長さ寸法が略同一である請求項１記載の包装箱。
【請求項６】
前記第３及び第４の蓋片は、前記第１及び第２の蓋片の少なくとも一部に被さるようにして収納スペースの上部両側に配設され、両者間に送付用ラベルが掛け渡されて貼着される請求項１記載の包装箱。
【請求項７】
前記第３及び第４の蓋片は、各側片の上端から延設された長さ寸法が異なるように形成され、長さ寸法の長い方の蓋片及び長さ寸法の短い方の蓋片の順序で収納スペースの上部を閉じると共に、両者間に送付用ラベルが掛け渡されて貼着される請求項１記載の包装箱。
【請求項８】
前記係合部は、第１及び第２の蓋片に設けられる係合溝と、第３及び第４の蓋片に設けられる係合片とからなる請求項１記載の包装箱。
【請求項９】
前記係合溝は、前記第１及び第２の蓋片の表面又は第１及び第２の蓋片と側面体との折曲げ部分に形成される請求項８記載の包装箱。
【請求項１０】
前記係合溝は、前記第１の蓋片に形成される第１の係合溝と第２の蓋片に形成される第２の係合溝のスリット幅が異なる請求項８記載の包装箱。
【請求項１１】
前記係合片は、前記係合溝に差し込まれたときに、係合溝と係合する差込首部を備え、この差込首部の長さが第３の蓋片と第４の蓋片とで異なっている請求項８記載の包装箱。
【発明の詳細な説明】
【技術分野】
【０００１】
本発明は、品物等を収容するための組立式の包装箱であって、郵送や宅送等の輸送用あるいは保管用として有用な包装箱に関するものである。
【背景技術】
【０００２】
従来、果物その他の品物を詰めて輸送や保管をするために、厚紙やダンボール等を用いた組立式の包装箱が用いられる。この包装箱は、一枚の厚紙やダンボール紙から４面の側面体と、それぞれの側面体の下辺から折曲げ可能に延びる４片の底片と、前記側面体の上辺から折曲げ可能に延びる４片の蓋片とを切り抜いた型紙を折り曲げたり、組み合わせたりすることによって、所定の収容スペースを有した箱型に形成される。このようにして組み立てられた包装箱は、前記収容スペース内に品物を詰めた後、蓋体を構成する４面の蓋片をそれぞれ内側に折り曲げるようにして重ね合わせ、この重ね合わせた部分を粘着テープ等のシール材によって貼着させている。
【０００３】
このようにして、組立、収容及び貼着された包装箱の蓋体の上面に発送先の住所や名前等のあて先が記載された送付ラベルを貼り付けることによって、発送処理が行われる。郵送や宅送用として一般に用いられる送付ラベルは、表面がカーボン紙で挟まれた複数の記入面となっており、裏面が粘着面となっている。
【０００４】
前記あて先等が記載された送付ラベルやシール等を包装箱に貼る場合は、シール材によって貼着された包装箱の表面にそのまま粘着面によって貼り付けるだけとなっている。また、特許文献１に開示されているように、収容スペースを閉塞する蓋体とは別に前記送付ラベル等を貼り付けるための帯体を別途設け、この帯体を前記蓋体の上に被せるようにした形態の包装箱がある。この包装箱によれば、包装箱本体に直接ラベル等を貼着しないので、一度発送して使用済となった包装箱本体を汚したり破損したりすることなく再利用できる点に特徴を有したものとなっている。
【先行技術文献】
【特許文献】
【０００５】
【特許文献１】特開２０００−２９６８３８号公報
【発明の概要】
【発明が解決しようとする課題】
【０００６】
従来の組立式の包装箱にあっては、四角形状の底面体及びこの底面体から立ち上がる４面の側面体によって形成された収容スペースを保持して閉塞させるためには、蓋体で前記収容スペースの上方を覆った後、前記蓋体の重なり部分や組み合わせ部分から側面体の一部に掛かるようにシール材で封止する必要があった。このため、蓋体の重なりや組み合わせがずれたり、シール材の貼り合わせ位置が合わなかったりすると、箱自体の強度が弱くなるとともに、蓋体の閉塞が十分に行われない場合がある。
【０００７】
前記蓋体は四角形状の４面の蓋片によって構成され、各蓋片をそれぞれ単純に重ね合わせることによって、前記収容スペースの上部を閉塞させるのを主目的としている。このため、閉塞形態が画一的であり、保管や展示用といった輸送目的以外で使用するにはデザイン性に乏しいものとなっていた。
【０００８】
また、郵送や宅送等の際には、前記シール材で蓋体を貼着させた後、さらに、前記シール材の上から送付用のラベルやシール等を貼り付けなければならないため、配送のための準備作業が余計にかかるといった問題がある。
【０００９】
一方、特許文献１に開示されている包装箱にあっては、蓋体とは別体で送付用のラベル等を貼り付けるための帯体を設けなければならず、材料費や加工費が多くなるといった問題もある。
【００１０】
そこで、本発明の目的は、蓋体の組み合わせによって様々な閉塞形態を有した箱型形状に容易に組み立てることができると共に、専用のシール材を用いることなく、送付用のラベルの貼着のみによって、閉じられた蓋体を容易且つ確実に貼着させることのできる包装箱を提供することである。
【課題を解決するための手段】
【００１１】
上記課題を解決するために、本発明の包装箱は、四角形状の底面体とこの底面体の各辺より立ち上がる４面の側片からなる側面体とで収納スペースを形成し、この収納スペースの上部を閉塞する蓋体が各側片の上端から折曲げ可能に延設される包装箱において、前記蓋体は、一方の対向する側片に設けられる第１及び第２の蓋片と、他方の対向する側片に設けられる第３及び第４の蓋片とを備え、第１及び第２の蓋片と第３及び第４の蓋片との間には係合部が設けられ、この係合部は、第１及び第２の蓋片の上に第３及び第４の蓋片を被せたときに互いに係合することを特徴とする。
【発明の効果】
【００１２】
本発明の包装箱によれば、四角形状の底面体とこの底面体から立ち上がる４面の側片からなる側面体とによって品物を収容するための収容スペースが形成され、前記４面の側片の上辺部からそれぞれ折曲げ可能に延設され、それぞれに係合部を有する４面の蓋片の組み合わせや重ね合わせの選択によって、様々な閉塞形態をとることができる。特に、前記４面の蓋片の形状やサイズ、係合部の位置や数を設定することで、収容スペースの広さ、あるいは、輸送や保管等の適した形態の包装箱を提供することができる。
【００１３】
また、前記係合部を覆うようにして送付用のラベルを貼着することによって、粘着テープ等による専用のシール材を用いることなく、品物を納めた収容スペースの上部を確実且つ容易に閉塞させることができる。
【００１４】
なお、前記４面の蓋片は、それぞれが部分的に重なり合うように形状やサイズ等を変えて形成することができるので、収容スペースの広さ等に応じて、重なり部分を多くするなどの調整を行うことができる。さらに、前記蓋片を様々な形態とすることによって、蓋体のデザイン性を高めることができ、輸送用としての包装目的以外に品物の保管や展示を目的する場合の容器として利用することもできる。
【図面の簡単な説明】
【００１５】
【図１】本発明に係る第１実施形態の包装箱の斜視図である。
【図２】上記包装箱の４面の蓋片を開放した状態の斜視図である。
【図３】上記包装箱の第１及び第２の蓋片を閉じた状態を示す斜視図である。
【図４】上記包装箱の第３及び第４の蓋片を閉じる状態を示す斜視図である。
【図５】本発明に係る第２実施形態の包装箱の斜視図である。
【図６】上記包装箱の４面の蓋片を開放した状態の斜視図である。
【図７】上記包装箱の第１の蓋片を閉じる状態（ａ）、この第１の蓋片の上に重ねて第２の蓋片を閉じた状態（ｂ）を示す斜視図である。
【図８】上記包装箱の第３及び第４の蓋片を閉じる状態を示す斜視図である。
【図９】上記包装箱の展開図である。
【図１０】本発明に係る第３実施形態の包装箱の斜視図である。
【図１１】上記包装箱の第１及び第２の蓋片を閉じる状態を示す斜視図である。
【図１２】上記包装箱の第３及び第４の蓋片を閉じる状態を示す斜視図である。
【図１３】上記包装箱の断面図である。
【図１４】上記包装箱の展開図である。
【図１５】図１４におけるＡ部及びＢ部の拡大図である。
【発明を実施するための形態】
【００１６】
図１は、本発明に係る第１実施形態の包装箱１１の外観形状を示したものである。この包装箱１１は、四角形状の底面体１２と、この底面体１２の各辺から立ち上がる４面の側片１３ａ，１３ｂ，１３ｃ，１３ｄで構成される側面体１３と、各側片の上辺から延設される４面の蓋片１４ａ，１４ｂ，１４ｃ，１４ｄからなる蓋体１４とによって構成されており、前記４面の蓋片を重ね合わせることで、内部を閉塞するようになっている。また、この包装箱１１を郵送や宅送する際には、前記蓋体１４の上からあて先等を記載した送付ラベル１５が貼り付けられる。
【００１７】
前記包装箱１１は、一枚の厚紙やダンボール紙を所定形状に切り抜いた型紙（図示せず）を折曲線に沿って折り曲げることによって組立形成される。前記型紙は、折曲線によって４面の側片が連結された長方形状の側面体１３と、この側面体１３の下辺から折曲げ可能に延びる４面の底片と、側面体１３の上辺から折曲げ可能に延びる４面の蓋片とからなっている。前記側面体１３は、３箇所の折曲線を内側に向けてそれぞれ直角に折り曲げた後、四角形状に連結形成する。次に、４面の底片の対向する底片同士の一部が重なり合うようにして組み合わされた四角形状の底面体１２を形成する。この底面部１２と、４面の側片からなる側面体１３とによって囲われた空間が品物等を収容するための収容スペース１６となる。
【００１８】
前記蓋体１４は、図１に示したように、４面の側片１３ａ〜１３ｄの各上辺から延設された４面の蓋片１４ａ〜１４ｄによって構成されている。この蓋体１４は、図２及び図３に示すように、底面体１２及びこの底面体１２を囲う側面体１３による収容スペース１６の上部を覆うように折れ曲がる一方の対向する第１及び第２の蓋片１４ａ，１４ｂと、この第１及び第２の蓋片１４ａ，１４ｂの一部を覆うようにして重なる他方の対向する第３及び第４の蓋片１４ｃ，１４ｄとによって構成される。前記第１及び第２の蓋片１４ａ，１４ｂは、それぞれの先端辺同士を突き合わせるようにして折り曲げることによって、前記収容スペース１６の上部を閉塞する。前記第３及び第４の蓋片１４ｃ，１４ｄは、図４に示すように、前記第１及び第２の蓋片１４ａ，１４ｂの両側上部を上から押さえるようにして折り重ねられる。
【００１９】
また、図１に示したように、前記４面の蓋片１４ａ〜１４ｄには、重なり合う部分にそれぞれ係合部２０が設けられる。この係合部２０は、第１及び第２の蓋片１４ａ，１４ｂに開設される一対の係合溝１７と、第３及び第４の蓋片１４ｃ，１４ｄに設けられ、各蓋片を重ね合わせた際に前記一対の係合溝１７に差し込まれる一対の係合片１８とによって構成される。この係合片１８は、第３及び第４の蓋片１４ｃ，１４ｄのそれぞれにスリット１９を設けることによって形成される。
【００２０】
なお、前記第３及び第４の蓋片１４ｃ，１４ｄの表面には、図４に示したように、閉じられた第１及び第２の蓋片１４ａ，１４ｂの各係合溝１７に係合片１８を差し込む際に一時的に折曲げ変形させるための折曲罫線２１が設けられる。
【００２１】
前記係合部２０によって、第１及び第２の蓋片１４ａ，１４ｂと第３及び第４の蓋片１４ｃ，１４ｄが係合されて収容スペース１６の上部を閉じた後、図１に示したように、４箇所の係合部２０を四隅として、この四隅の内側に露出している第１及び第２の蓋片１４ａ，１４ｂを覆い隠すようにして、ラベル１５が第３の蓋片１４ｃと第４の蓋片１４ｄとの間に掛け渡して貼着される。前記ラベル１５は、裏面側が粘着面１５ｂで、表面に宛先等を記載する記載面１５ａで構成された一般的な送付用ラベルを利用することができる。
【００２２】
この実施形態の包装箱１１にあっては、第１及び第２の蓋片１４ａ，１４ｂで収容スペース１６の上部を閉塞することができ、第３及び第４の蓋片１４ｃ，１４ｄとの重なり部分及び４箇所の係合部２０によって、蓋体１４が開かないように仮留めさせることができる。そして、上述したように、第３の蓋片１４ｃと第４の蓋片１４ｄとの間に前記ラベル１５を掛け渡すようにして貼着させることで、蓋体１４を封止させることができるので、別途シール材を用いることなく、そのまま郵送や宅送等の輸送手段に乗せることができる。
【００２３】
図５乃至図９は、第２実施形態の包装箱３１を示したものである。この包装箱３１は、４面の底片を組み合わせてなる四角形状の底面体３２と、この底面体３２の各辺から立ち上がる４面の側片３３ａ〜３３ｄからなる側面体３３とで収容スペース３６を形成している（図６）。この収容スペース３６を覆う蓋体３４は、４面の蓋片３４ａ〜３４ｄで構成され、このうち一方の対向する第１及び第２の蓋片３４ａ，３４ｂは、それぞれが前記収容スペース３６の開放面と略同一の平面サイズを有して形成され、折り重なるようにして閉じられる（図７（ａ），（ｂ））。また、他方の対向する第３及び第４の蓋片３４ｃ，３４ｄは、それぞれ折り曲げた際に、前記第１及び第２の蓋片３４ａ，３４ｂの両端部側を上から押さえるようにして閉じられる（図８（ａ），（ｂ））。
【００２４】
前記第１及び第２の蓋片３４ａ，３４ｂと第３及び第４の蓋片３４ｃ，３４ｄとが重なる蓋体３４の中央部側に係合部４０が２箇所設けられる（図５）。この係合部４０は、図６に示したように、第１の蓋片３４ａに設けられる第１の係合溝３７ａ及び第２の蓋片３４ｂに設けられる第２の係合溝３７ｂと、第３及び第４の蓋片３４ｃ，３４ｄにそれぞれ設けられる係合片（係合凸片）３８とによって構成されている。前記第１の係合溝３７ａ及び第２の係合溝３７ｂは、前記係合凸片３８が挿入可能なスリット幅に形成されるが、僅かにそのスリット幅を変えて形成される。前記係合凸片３８は、前記係合溝３７ａ，３７ｂの溝長に合わせて形成され、第３及び第４の蓋片３４ｃ，３４ｄの先端部の中央部から突出して設けられる。
【００２５】
図９は、上記包装箱３１を形成するための形成型４５の展開図を示したものである。この形成型４５は、長方形状の一枚の厚紙やダンボール紙から底面体３２、側面体３３及び蓋体３４の輪郭に沿って打ち抜きあるいは切り抜きによって形成される。また、底面体３２及び蓋体３４は、それぞれ組み合わせや重ね合わせが可能となるような形状に４面が側面体３３から折曲げ可能に分離され、第１及び第２の蓋片３４ａ，３４ｂに係合溝３７ａ，３７ｂを開設し、第３及び第４の蓋片３４ｃ，３４ｄには係合凸片３８が切り込み形成される。さらに、前記側面体３３には４面の側片３３ａ〜３３ｄに折り曲げるための３本の折曲線４１、４面の底片３２ａ〜３２ｄに折り曲げるための折曲線４２、４面の蓋片３４ａ〜３４ｄに折り曲げるための折曲線４３が設けられる。前記第１及び第２の蓋片３４ａ，３４ｂについては、いずれも上側又は下側に折り重ねが容易となるように、この部分の折曲線４３ａ，４３ｂを他の折曲線よりも太くして形成される。
【００２６】
本実施形態では、最初に折り曲げられて下側に位置する第１の蓋片３４ａに設けられた第１の係合溝３７ａの方が、その上に折り重なる第２の蓋片３４ｂに設けられた第２の係合溝３７ｂよりもスリット幅が狭くなるように形成されている。この狭い方のスリット幅は、係止効果を高めるため、係合凸片３８が容易に外れないように、ある程度の力を入れて押し込みながら挿入できるように設定され、第２の係合溝３７ｂの方は係合凸片３８を差し込みやすくするように多少余裕を持たせて形成されている。なお、前記第１及び第２の蓋片３４ａ，３４ｂのいずれを下側又は上側になるように折り重なるようにしてもよく、このような重なり合う第１の係合溝３７ａ及び第２の係合溝３７ｂのスリット幅の違いによって、差し込まれた係合凸片３８の抜けを防止することができる。
【００２７】
なお、前記第３及び第４の蓋片３４ｃ，３４ｄの表面には、係合凸片３８を係合溝３７ａ，３７ｂに差し込みやすくするために、折曲罫線４４が設けられる。この折曲罫線４４によって、一時的に折曲げ変形させた状態で、係合凸片３８を係合溝３７ａ，３７ｂに差し込んだ後に、前記折曲罫線４４の上を押さえるようにして伸ばす。これによって、図５に示したように、収容スペース３６の上部を閉塞させている第１及び第２の蓋片３４ａ，３４ｂの上部両側を第３及び第４の蓋片３４ｃ，３４ｄによって仮留め固定させることができる。
【００２８】
次に、送付用のラベル３５を一対の係合部２０と、第１及び第２の蓋片３４ａ，３４ｂが露出している部分を覆い隠すようにして、第３の蓋片３４ｃと第４の蓋片３４ｄとの間に掛け渡して貼着することで、蓋体３４を封止することができる。
【００２９】
この実施形態によれば、収容スペース３６の上部が第１及び第２の蓋片３４ａ，３４ｂによって二重に封止することができるとともに、それぞれの係合溝３７ａ，３７ｂを通るように、第３及び第４の蓋片３４ｃ，３４ｄの係合凸片３８が差し込まれるので蓋体３４が容易に開かないように閉塞させることができる。また、一対の係合部４０が蓋体３４の中央部側に設けられているため、平面サイズの大きな包装箱であっても、前記係合部４０を中心としてラベル３５を貼着することで、蓋体３４の封止を簡易に行うことができる。
【００３０】
また、前記蓋体３４は、前記第１の蓋片３４ａの上に第２の蓋片３４ｂを重ね、この第２の蓋片３４ｂの上にラベル３５が貼着されることで輸送用の包装箱として利用することができるが、このような利用が終えた後に、ラベル３５が剥がされた第２の蓋片３４ｂを下にしてその上に第１の蓋片３４ａを重ね合わせるようにすれば、ラベル３５の貼着跡が隠れ、外観上の見栄えを損なわないような保管用あるいは展示用の包装箱として再利用することができる。このような輸送以外の目的で利用する場合は、前記第１の蓋片３４ａと第２の蓋片３４ｂにそれぞれ異なったデザイン性のある文字や模様を施すことができる。
【００３１】
図１０乃至図１５は、第３実施形態の包装箱５１を示したものである。この包装箱５１は、図１４に示すような形成型６５から組み立てられる。この形成型６５は、厚みが３ｍｍ程度の長方形状の一枚の厚紙やダンボール紙から底面体５２、側面体５３及び蓋体５４の輪郭に沿って打ち抜きあるいは切り抜きによって形成される。側面体５３は、４面の側片５３ａ〜５３ｄからなり、３本の折曲線６１をそれぞれ内側に直角に折り曲げた後、一方の端部の側片５３ｃに設けられている接合片６６を他方の端部の５３ｂに接合することによって、四角形状に形を整えて組み立てられる。底面体５２は、４面の底片５２ａ〜５２ｄからなり、折曲線６２に沿ってそれぞれ内側に折曲げられ、それぞれの底片５２ａ〜５２ｄの一部が互いに重なり合うようにして四角形状に組み合わされる。蓋体５４は、一方の対向する第１及び第２の蓋片５４ａ，５４ｂと、他方の対向する第３及び第４の蓋片５４ｃ，５４ｄとで構成されており、折曲線６３に沿ってそれぞれ内側に折曲げられる。なお、前記第３及び第４の蓋片５４ｃ，５４ｄは、いずれも上側又は下側に折り重ねが容易となるように、この部分の折曲線６３ｃ，６３ｄを他の折曲線よりも太くして形成される。
【００３２】
この実施例においては、特に第１及び第２の蓋片５４ａ，５４ｂは、図１１乃至図１３に示したように、それぞれの側片５３ａ，５３ｂの内側面に沿うように折り返される第１の補強片６７及びこの第１の補強片６７から底面体５２の内側面上に延びるように折り返される第２の補強片６８によって構成されている。第１の蓋片５４ａと第２の蓋片５４ｂから延びる一対の補強片６８は、先端部同士が底面体５２の内側面上で当接し、平らな底面を形成する。即ち、この実施例における第１及び第２の蓋片５４ａ，５４ｂは、収納スペース５６の上部を閉塞する蓋体としてではなく、底面体５２及び側面体５３の補強と箱の底面を平らに保つための役割を有している。また、前記側片５３ａ，５３ｂと第１の補強片６７との折り返し部分は、第３及び第４の蓋片５４ｃ，５４ｄを重ね合わせるための一定の幅を有した額縁部６９として形成される。この額縁部６９は、前記第３及び第４の蓋片５４ｃ，５４ｄが載置される蓋の役割を有しているが、他の第１の補強片６７は側面体５３、第２の補強片６８は底面体５２をそれぞれ内側面から補強する役割を有している。図１３に示したように、左右一対の第２の補強片６８の先端部が突き合わされるように組み立てることで、側面体５３及び底面体５２に沿った補強ができる。
【００３３】
前記額縁部６９は、例えば１ｃｍ程度の幅に形成され、ここに前記第３及び第４の蓋片５４ｃ，５４ｄを係合するための係合部６０ａ，６０ｂが設けられる。この係合部６０ａ，６０ｂは、この包装箱５１を形成する形成型６５の厚みと同じ３ｍｍ程度の溝幅を有して設けられる左右一対の係合溝５７ａ，５７ｂと、前記第３及び第４の蓋片５４ｃ，５４ｄに設けられ、前記係合溝５７ａ，５７ｂに係合される係合片（係合凸片）５８ａ，５８ｂとによって構成されている。なお、前記係合凸片５８ａ，５８ｂは、図１４及び図１５に示したように、第３及び第４の蓋片５４ｃ，５４ｄのそれぞれの両側から延びる差込首部７１ａ，７２ａと、このそれぞれの差込首部７１ａ，７２ａの先に広がるように延びる差込本体部７１ｂ，７２ｂとで構成されている。ここで、第３の蓋片５４ｃに設けた係合凸片５８ａの差込首部７２ａの長さＬ１は、第４の蓋片５４ｄに設けた係合凸片５８ｂの差込首部７１ａの長さＬ２よりも長く形成されている。これは、第４の蓋片５４ｄを第３の蓋片５４ｃの上に重ねた際に、第３の蓋片５４ｃの厚み分を確保することで、跳ね返りを抑え、蓋体５４としての閉塞を確実にするためである。
【００３４】
前記第３の蓋片５４ｃは、折り曲げた際に、先端辺が第４の蓋片５４ｄの折曲げ部分に接するように収容スペース５６の上部を略完全に覆うような広さに形成され、第４の蓋片５４ｄは、折り曲げた際に第３の蓋片５４ｃの一部表面が露出するように先端辺までの長さを第３の蓋片５４ｃより短くなるように形成されている。この第３及び第４の蓋片５４ｃ，５４ｄは、前述したように、第１及び第２の蓋片５４ａ，５４ｂの額縁部６９にそれぞれ設けられる第１及び第２の係合溝５７ａ，５７ｂと、第３及び第４の蓋片５４ｃ，５４ｄのそれぞれの両側面に設けられる第１及び第２の係合凸片５８ａ，５８ｂとからなる第１及び第２の係合部６０ａ，６０ｂによって閉塞される。
【００３５】
次に、本実施形態の包装箱５１の組立手順を図１０乃至図１３に基づいて説明する。前述したように、底面体５２及び側面体５３によって収容スペース５６を形成した後、第１及び第２の蓋片５４ａ，５４ｂを額縁部６９で折り返すことによって、第１及び第２の補強片６７，６８による補強壁部を前記収容スペース５６内に形成する。次に、第３の蓋片５４ｃを折曲げ、第１の係合溝５７ａに第１の係合凸片５８ａを差し込む。次に、前記第３の蓋片５４ｃとクロスするようにして第４の蓋片５４ｄを折り曲げ、第２の係合溝５７ｂに第２の係合凸片５８ｂを差し込む。このように、第３の蓋片５４ｃの上に折り重なるようにして第４の蓋片５４ｄで覆い、互いにクロスする方向で係合し合う第１の係合部６０ａと第２の係合部６０ｂによって、収容スペース５６の上部が閉塞される（図１２）。
【００３６】
このようにして蓋体５４が閉じられた状態で、図１０に示したように、前記第４の蓋片５４ｄの上から第３の蓋片５４ｃの一部が露出している部分に掛けてラベル５５が貼着される。このラベル５５の貼着によって、蓋体５４が開かないように封止される。
【００３７】
この実施形態の包装箱５１は、第１及び第２の係合溝５７ａ，５７ｂが第１及び第２の蓋片５４ａ，５４ｂの額縁部６９に設けられ、対応する第１及び第２の係合凸片５８ａ，５８ｂが第３及び第４の蓋片５４ｃ，５４ｄの左右側面から下向きに突出するように折り曲げられた構造となっている。このため、蓋体５４を閉じた状態では、第１及び第２の係合部６０ａ，６０ｂが蓋体５４や側面体５３の表面から目立たなくなるといったデザイン上の利点がある。
【００３８】
図１４に示したように、前記第３及び第４の蓋片５４ｃ，５４ｄには、表面に折曲罫線６４が設けられる。この折曲罫線６４は、外向きに折曲げ可能となるように形成されている。前述したような組立方法は、主に輸送や保管を目的として蓋体５４を閉塞させるものであるが、これ以外の利用方法として、前記第３及び第４の蓋片５４ｃ，５４ｄを先ず折曲線６３ｃ，６３ｄによって、側片５３ｃ，５３ｄの外側面に沿って外向きに折り返し、さらに、前記折曲罫線６４で蓋片５４ｃ，５４ｄの先端部分を底面体５２の裏面側に重なるように折り返すことができる。これによって、前記収容スペース５６の上部を開放した状態に保持することができるので、前記収容スペース５６内に収めた果物などを展示等する場合に有用となる。なお、前記第３及び第４の蓋片５４ｃ，５４ｄの外周部に設けられている切欠部７０は、蓋体５４の開放操作を容易にするために開設されたものであり、４箇所の切込部７３は、係合凸片５８ａ，５８ｂの重なりを避けるために設けられている。
【００３９】
以上、説明したように、本発明に係る包装箱によれば、蓋片の組み合わせや重ね合わせによって、輸送等の目的で使用するための様々な閉塞形態や展示等の目的で使用するための開放形態をとることができる。また、前記蓋片によって閉塞させた場合において、それぞれの蓋片に設けられている係合部を覆うようにして送付用のラベルを貼着することで、専用のシール材を用いることなく、品物が納められた収容スペースの上部を簡易に封止することができ、そのままの状態で郵送や宅送等の手配を行うことができる。
【符号の説明】
【００４０】
１１  包装箱
１２  底面体
１３  側面体
１３ａ，１３ｂ，１３ｃ，１３ｄ  側片
１４  蓋体
１４ａ，１４ｂ，１４ｃ，１４ｄ  蓋片
１５  ラベル
１５ａ  表示面
１５ｂ  粘着面
１６  収容スペース
１７  係合溝
１８  係合片
１９  スリット
２０  係合部
２１  折曲罫線
３１  包装箱
３２  底面体
３３  側面体
３４  蓋体
３４ａ，３４ｂ，３４ｃ，３４ｄ  蓋片
３５  ラベル
３６  収容スペース
３７ａ，３７ｂ  係合溝
３８  係合凸片
４０  係合部
４１，４２，４３  折曲線
４４  折曲罫線
４５  形成型
５１  包装箱
５２  底面体
５３  側面体
５４  蓋体
５４ａ，５４ｂ，５４ｃ，５４ｄ  蓋片
５５  ラベル
５６  収容スペース
５７ａ，５７ｂ  係合溝
５８ａ，５８ｂ  係合凸片
６０ａ，６０ｂ  係合部
６１，６２，６３  折曲線
６４  折曲罫線
６５  形成型
６６  接合片
６７  第１の補強片
６８  第２の補強片
６９  額縁部
７０  切欠部
７１ａ，７２ａ  差込首部
７１ｂ，７２ｂ  差込本体部
７３  切込部
【図１】
2011006124.tif 000003
【図２】
2011006124.tif 000004
【図３】
2011006124.tif 000005
【図４】
2011006124.tif 000006
【図５】
2011006124.tif 000007
【図６】
2011006124.tif 000008
【図７】
2011006124.tif 000009
【図８】
2011006124.tif 000010
【図９】
2011006124.tif 000011
【図１０】
2011006124.tif 000012
【図１１】
2011006124.tif 000013
【図１２】
2011006124.tif 000014
【図１３】
2011006124.tif 000015
【図１４】
2011006124.tif 000016
【図１５】
2011006124.tif 000017